(57)【要約】【課題】テイクバックからボールのヒッティングまでの間は、バットのヘッドが立っている状態にあることに着目し、本発明は、理想的なバットスイングフォームが習得出来て、バッティング技術の向上が図れる素振り練習用バットの提供を目的とする。【解決手段】素振り練習用バットにおいて、ヘッド部とグリップ部との間に、透明体からなる円筒状連結部を有し、この円筒状連結部内に移動可能に球が内装されているとともに、当該円筒状連結部のグリップ部側を合格領域とし、ヘッド部側を不合格領域とし、バットスイング時にテイクバックからヒッティングポイントまでの間は、球が上記円筒状連結部の合格領域に残っている状態が良いバットスイングであり、球が不合格領域に移動した場合は悪いバットスイングであることが判明出来るようにした。【選択図】　図１
2004041450.tif 000002
【特許請求の範囲】
【請求項１】
ヘッド部とグリップ部との間に、透明体からなる円筒状連結部を有し、この円筒状連結部内に移動可能に球が内装されているとともに、当該円筒状連結部のグリップ部側を合格領域とし、ヘッド部側を不合格領域とし、バットスイング時にテイクバックからヒッティングポイントまでの間は、球が上記円筒状連結部の合格領域に残っている状態が良いバットスイングであり、球が不合格領域に移動した場合は悪いバットスイングであることが判明出来るようにしたことを特徴とする素振り練習用バット。
【発明の詳細な説明】
【０００１】
【発明の属する技術分野】
本発明は、バッティングの素振り練習用バットに関する。
【０００２】
【従来の技術】
従来から提案されている素振り練習用バットとしては、試合に用いるバットより重量を重くして素振り練習により腕や手首の筋力アップを図らんとするものがある。
しかし、このような重量を重くした練習用バットでは、良いバッティングフォームの練習にはならない。
また、バットが伸びている方向にスライドする錘をバットに装着し、バットを振ると錘が遠心力にてスライドし、バットのヘッド部側に衝突し、ボールを打ったときの音や感触にてミートポイントを把握できるようにしたものがある。
しかし、このような素振り練習バットでは、遠心力を大きくして、大きい音が出ることに気がとられがちであり、決してバッティングフォームやスイング軌道の向上に結び付くものでは無かった。
【０００３】
【発明が解決しようとする課題】
理想的なバットスイングとは、テイクバック時にバットのヘッドが立つようにして、そのままインサイド・アウトに振ることだと言われている。
ここで、バットをインサイド・アウトに振るということは、バットをテイクバックの状態から振り出す際に、バットのヘッドをいきなりホームベース側へ向かわせるのではなく、バットのグリップを先行させて投手側へ向かわせた後、次第にホームベース側へ向かわせることである。
この状態をある野球監督は、傘を開いてそのまま横の人に渡すようにバットスイングするのが良いと表現したといわれる。
【０００４】
このようなバットスイングフォームが良いとされる理由は、テイクバックの位置にあるバットをボールのヒッティングポイントへ最短距離で導け、ボールを見極めるための時間に余裕が生まれること及び、バットのスイング始動時にバットのヘッドが身体に近いため、身体を中心軸とするバットの慣性モーメントが小さくなり、僅かな力でヘッドスピードを高めることができること等が言われている。
【０００５】
このような理想的なバットスイングフォームに対して、ドアが開閉するようにアウトサイドからインサイドにスイングする、いわゆるドアスイングではバットのヘッドが横になっている悪いスイングフォームといわれている。
【０００６】
上記に説明したように理想的なバッティングフォームにおいては、例えば図３に示したバットのテイクバックからボールのヒッティングまでの間は、バットのヘッドが立っている状態にあることに着目し、本発明は、理想的なバットスイングフォームが習得出来て、バッティング技術の向上が図れる素振り練習用バットの提供を目的とする。
【０００７】
【課題を解決するための手段】
本発明は、上記目的を達成するために素振り練習用バットにおいて、ヘッド部とグリップ部との間に、透明体からなる円筒状連結部を有し、この円筒状連結部内に移動可能に球が内装されているとともに、当該円筒状連結部のグリップ部側を合格領域とし、ヘッド部側を不合格領域とし、バットスイング時にテイクバックからヒッティングポイントまでの間は、球が上記円筒状連結部の合格領域に残っている状態が良いバットスイングであり、球が不合格領域に移動した場合は悪いバットスイングであることが判明出来るようにした。
【０００８】
バットをテイクバックの状態から最短でボールにインパクトしようとすると、スイング開始時から両肘をしめて振り出す必要がある。
従って、両肘がしまった状態でバットスイングすると、バットのヘッドが立っている状態になっていることになるので、上記のようにバットのヘッド部とグリップ部の間に透明体からなる円筒状連結部を設けて、この中に球を内装した場合に円筒状連結部内の球はグリップ側に残ったままの状態になる。
これにより、バットスイングが良い状態にあると判定出来る。
【０００９】
一方、バットスイングが悪いとされるドアスイングの状態（両肘が開いている状態）になると、バットのヘッドが横になり、さらに悪い場合にはバットのヘッドが下に傾き、上記円筒状連結部内に内装された球がヘッド部側に移動し、バットスイングが悪い状態であると判定出来る。
【００１０】
このように、バットの円筒状連結部内に球が移動可能に内装したことにより、球の移動の有無によりバットスイングの良し悪しが目視判定出来るようになる。また、このようなバットを用いて素振り練習すると、球の動きを見ようとするので、いわゆる身体がヘッドアップ状態になるのを自然におさえるようになる。さらには、バットの素振り中に球の動きを見ようとするので動態視力の向上が期待できる。
なお、理想バットスイングにおいて、ボールのヒッティングポイント以降に上記球がヘッド側に移動することになる。
【００１１】
【発明の実施の形態】
図１に本発明に係る素振り練習用バットの例を示す。
バットのヘッド部１とグリップ部２を樹脂等の透明体で成形された円筒状連結部３にて結合した状態に構成されている。
結合方法は、ねじ込み、接着等各種方法が採用される。
透明な円筒状連結部内に樹脂等で成形された比較的軽い球４が内装されている。
この円筒状連結部は、境界ライン５にて合格範囲Ｇと不合格範囲Ｎに区分されている。
図１は、合格範囲Ｇと不合格範囲Ｎを帯状の境界ライン５にて区切り、不合格範囲に球が移動しても外部から球が見えるようにした例を示す。
これに対して、図２の例のように不合格範囲にＮを不透明にして球が見えないようにすると合否の判定がよりしやすくなる。
【００１２】
ここで、球を内装した円筒状連結部をバットのヘッド部とグリップ部の間に設けたのは、球をヘッド部側に近づけ過ぎるとバットをスイングした時に遠心力により、球がヘッド側に移動する恐れがあるので遠心力の影響を受け難いように、バットの中間からグリップ側よりに設けるのが好ましい。
従って、球の重さも遠心力の影響を受け難いように比較的軽いものが良く、樹脂製のものが好ましい。
本発明においては、球がバットが横になったときにヘッド部側に移動し、バットが立っている状態では球の重力にてグリップ部側に残ったままの状態になることを目的にしているからである。
また、球の移動が外部から判定しやすいように、鮮やかな色調の大きめの球がよい。
【００１３】
【発明の効果】
本発明においては、バットスイングが理想のインサイド・アウトスイングから悪いドアスイングになるとバットの内部に内装した球の動きにより、目視判定出来るようにしたので、身体のヘッドアップ状態を自然に防止し、動態視力の向上を図りながら理想的なバッティングフォームを素振り練習により習得できる。
【図面の簡単な説明】
【図１】本発明に係る素振り練習用バットの例を示す。
【図２】不合格範囲に球が移動すると外部からは球が消えたように見えるようにした本発明に係る素振り練習用バットの例を示す。
【図３】バットスイングにおけるテイクバックの状態を示す。
【符号の説明】
１　　ヘッド部
２　　グリップ部
３　　円筒状連結部
４　　バットの内装した球
５　　境界ライン
５ａ　不合格範囲の不透明部
Ｇ　　合格範囲
Ｎ　　不合格範囲
【図１】
2004041450.tif 000003
【図２】
2004041450.tif 000004
【図３】
2004041450.tif 000005